【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
コンピュータにより実行される方法であって、
タッチ感知面及びディスプレイを有する電子デバイスにおいて、
複数のメッセージに対応する情報を含むリストを表示することと、
前記タッチ感知面上での各メッセージに対応する各場所で接触を検出することと、
前記複数のメッセージのうちのメッセージに対応する前記ディスプレイ上の場所で、前記タッチ感知面との接触を中断しない第１の方向における前記接触の連続移動を含むジェスチャを検出することと、
前記ジェスチャを検出することに応答して、
前記接触の前記移動の１つ以上のパラメータを判定することと、
前記接触の前記移動のパラメータが第１の基準を満たし、及び前記複数のメッセージにおける第１のメッセージに対応する前記場所で前記ジェスチャが検出されるという判定に従って、前記メッセージに対してとられるアクションを表す複数のユーザインタフェース要素を表示することと、
前記接触の前記移動のパラメータが前記第１の基準とは異なる第２の基準を満たし、及び前記複数のメッセージにおける第１のメッセージに対応する当該場所で前記ジェスチャが検出されるという判定に従って、前記第１のメッセージに対してデフォルトアクションを実行することと、
前記移動のパラメータが前記第１の基準を満たし、及び前記複数のメッセージにおける第２のメッセージに対応する場所で前記ジェスチャが検出されるという判定に従って、前記第２のメッセージに対してとられるアクションを表す複数のユーザインタフェース要素を表示することと、
前記移動の前記パラメータが前記第１の基準とは異なる前記第２の基準を満たし、及び前記複数のメッセージにおける前記第２のメッセージに対応する当該場所で前記ジェスチャが検出されるという判定に従って、前記第２のメッセージに対してデフォルトアクションを実行することと、
を含む、方法。
【請求項２】
前記１つ以上のパラメータが、距離、速度、前記接触の圧力強度、接触点の数、及びそれらの任意の組み合わせからなる群から選択される、請求項１に記載のコンピュータにより実行される方法。
【請求項３】
前記第１の基準が、閾値距離、閾値速度、前記接触の閾値圧力強度、接触点の閾値数、及びそれらの任意の組み合わせからなる群から選択される、請求項１に記載のコンピュータにより実行される方法。
【請求項４】
前記複数のユーザインタフェース要素が、前記第１の基準に基づいて、連続的にかつ比例して、前記メッセージの側部から視覚的にスライドアウトする、請求項１に記載のコンピュータにより実行される方法。
【請求項５】
前記複数のユーザインタフェース要素が、前記メッセージの前記側部から視覚的にスライドアウトするにつれて、前記メッセージが視覚的に見えなくなる、請求項１に記載のコンピュータにより実行される方法。
【請求項６】
前記第１の基準を前記移動の前記パラメータが満たしていない場合、前記複数のユーザインタフェース要素が、視界からスライドアウトし、表示されない、請求項１に記載のコンピュータにより実行される方法。
【請求項７】
前記複数のユーザインタフェース要素のそれぞれが、選択可能であり、ゴミ箱オプション、通知オプション、追加オプション、非通知オプション、及びそれらの任意の組合せからなる群から選択されるアクションと関連付けられた、請求項１に記載のコンピュータにより実行される方法。
【請求項８】
前記複数のユーザインタフェース要素のそれぞれが、前記電子デバイスを使用するユーザにより構成可能である、請求項１に記載のコンピュータにより実行される方法。
【請求項９】
閾値継続期間にわたって接触が維持される場合、前記複数のユーザインタフェース要素が表示されない、請求項１に記載のコンピュータにより実行される方法。
【請求項１０】
前記第２の基準が、閾値距離、閾値速度、前記接触の閾値圧力強度、接触点の閾値数、及びそれらの任意の組み合わせからなる群から選択される、請求項１に記載のコンピュータにより実行される方法。
【請求項１１】
前記第１のメッセージに対してデフォルトアクションを実行することが、前記デフォルトアクションと関連付けられたユーザインタフェース要素を表示することを含む、請求項１に記載のコンピュータにより実行される方法。
【請求項１２】
前記デフォルトアクションと関連付けられたユーザインタフェース要素が、前記第２の基準に基づいて、連続的にかつ比例して、前記メッセージの側部から視覚的にスライドアウトする、請求項１に記載のコンピュータにより実行される方法。
【請求項１３】
前記第２の基準を前記移動の前記パラメータが満たしていない場合、前記デフォルトアクションと関連付けられた前記ユーザインタフェース要素が、視界からスライドアウトし、表示されない、請求項１に記載のコンピュータにより実行される方法。
【請求項１４】
前記第２の基準を前記移動の前記パラメータが満たしていない場合、前記デフォルトアクションと関連付けられた前記ユーザインタフェース要素が、視界からスライドアウトし、前記複数のユーザ要素が表示される、請求項１に記載のコンピュータにより実行される方法。
【請求項１５】
前記デフォルトアクションが、前記電子デバイスを使用するユーザにより構成可能である、請求項１に記載のコンピュータにより実行される方法。
【請求項１６】
閾値継続期間にわたって接触が維持される場合、前記デフォルトアクションと関連付けられた前記ユーザインタフェース要素が表示されない、請求項１に記載のコンピュータにより実行される方法。
【請求項１７】
前記複数のメッセージのうちのメッセージに対応する前記ディスプレイ上の場所で、前記タッチ感知面との接触を中断しない第２の方向における前記接触の連続移動を検出することと、
前記接触の前記移動の１つ以上のパラメータを判定することと、
前記移動のパラメータが、第３の基準を満たすという判定に従って、前記メッセージに対してとられるアクションを表す１つ以上のユーザインタフェース要素を表示することと、
を更に含む、請求項１に記載のコンピュータにより実行される方法。
【請求項１８】
前記第２の方向が、前記第１の方向とは異なる、請求項１７に記載のコンピュータにより実行される方法。
【請求項１９】
前記第３の基準が、閾値距離、閾値速度、前記接触の閾値圧力強度、接触点の閾値数、及びそれらの任意の組み合わせからなる群から選択される、請求項１７に記載のコンピュータにより実行される方法。
【請求項２０】
前記１つ以上のユーザインタフェース要素が、ジャンクオプションを含む、請求項１７に記載のコンピュータにより実行される方法。
【請求項２１】
前記１つ以上のユーザインタフェース要素が、前記第３の基準に基づいて、連続的にかつ比例して、前記メッセージの側部から視覚的にスライドアウトする、請求項１７に記載のコンピュータにより実行される方法。
【請求項２２】
前記第３の基準を前記移動の前記パラメータが満たしていない場合、前記１つ以上のユーザインタフェース要素が、視界からスライドアウトし、表示されない、請求項１７に記載のコンピュータにより実行される方法。
【請求項２３】
前記１つ以上のユーザインタフェース要素が、前記電子デバイスを使用するユーザにより構成可能である、請求項１７に記載のコンピュータにより実行される方法。
【請求項２４】
前記１つ以上のユーザインタフェース要素のグラフィカル表示は、前記電子デバイスを使用するユーザにより構成可能であり、色、サイズ、アクション、及びそれらの任意の組み合わせからなる群から選択される、請求項１７に記載のコンピュータにより実行される方法。
【請求項２５】
閾値継続期間にわたって接触が維持される場合、前記１つ以上のユーザインタフェース要素が表示されない、請求項１７に記載のコンピュータにより実行される方法。
【請求項２６】
ユーザインタフェース要素が選択された場合、前記メッセージに対してとる追加のアクションと関連付けられた追加のユーザインタフェース要素を含むシートが表示される、請求項１に記載のコンピュータにより実行される方法。
【請求項２７】
前記デフォルトアクションと関連付けられたユーザインタフェース要素が選択された場合、前記選択の確認を要求するプロンプトが表示される、請求項１に記載のコンピュータにより実行される方法。
【請求項２８】
前記デフォルトアクションと関連付けられた前記ユーザインタフェース要素の前記選択の確認を受信することが、前記メッセージに対してとる追加のアクションと関連付けられた追加のユーザインタフェース要素を含むシートを表示することを更に含む、請求項２７に記載のコンピュータにより実行される方法。
【請求項２９】
請求項１〜２３の何れか１項に記載の方法を実行する命令を含む非一時的コンピュータ可読記憶媒体。
【請求項３０】
請求項１〜２３の何れか１項に記載の方法を実行するための命令を含むデバイス。
【請求項３１】
請求項１〜２３の何れか１項に記載の方法を実行するための手段を含むデバイス。